(57)【要約】  腹帯（１）は、妊婦の腹部に装着可能であって、複数の電極（１１）が所定の位置に配置されている。電位データ送信部（１２）は、複数の電極（１１）から電位データを取得して、電位データを無線により送信する。妊婦・胎児心電計測部（２０）の電位受信部（２１）は、電位データ送信部（１２）で送信された電位データを受信する。妊婦・胎児心電分離部（２２）は、電位受信部（２１）で受信した電位データから、妊婦と胎児それぞれの心電データを分離して抽出する。
2014002823.tif 000002
【特許請求の範囲】
【請求項１】
複数の電極が所定の位置に配置され、妊婦の腹部に装着可能な腹帯と、
前記複数の電極により電位データを取得する電位検出部と、
前記電位データを無線により送信する送信部と、
前記送信部で送信された電位データを受信する受信部と、
前記受信部で受信した電位データから、前記妊婦と胎児それぞれの心電データを分離して抽出する妊婦・胎児心電分離部と、
を備えることを特徴とする妊婦・胎児心電計測装置。
【請求項２】
前記妊婦と胎児それぞれの心電データから、前記妊婦および胎児の状態の分析を行う分析部を備えることを特徴とする請求項１に記載の妊婦・胎児心電計測装置。
【請求項３】
前記腹帯は、前記腹帯を装着した妊婦の加速度データを検出する加速度センサを備え、
前記加速度データから前記妊婦の動作の大きさを判定する動作判定部を備え、
前記分析部は、前記妊婦と胎児それぞれの心電データおよび前記妊婦の動作の大きさに基づいて、前記妊婦および胎児の状態の分析を行うことを特徴とする請求項２に記載の妊婦・胎児心電計測装置。
【請求項４】
前記妊婦と胎児それぞれの心電データおよび／または前記妊婦および胎児の状態の分析結果を提示する情報提示部を備えることを特徴とする請求項１ないし３のいずれか１項に記載の妊婦・胎児心電計測装置。
【請求項５】
前記妊婦と胎児それぞれの心電データおよび／または前記妊婦および胎児の状態の分析結果を、結果表示装置に送信する結果送信部と、
前記結果表示装置から前記妊婦に対する指示を受信する指示受信部と、
前記指示受信部で受信した指示を提示する指示提示部と、
を備えることを特徴とする請求項１ないし４のいずれか１項に記載の妊婦・胎児心電計測装置。
【請求項６】
複数の電極が所定の位置に配置され、妊婦の腹部に装着可能な腹帯、
前記複数の電極により電位データを取得する電位検出部、
前記電位データを無線により送信する送信部、
前記送信部で送信された電位データを受信する受信部、
前記受信部で受信した電位データから、前記妊婦と胎児それぞれの心電データを分離して抽出する妊婦・胎児心電分離部、および、
前記妊婦と胎児それぞれの心電データを、結果表示装置に送信する結果送信部、
を備える妊婦・胎児心電計測装置と、
前記結果送信部が送信した前記妊婦と胎児それぞれの心電データを受信する結果受信部、
前記結果受信部で受信した前記妊婦と胎児それぞれの心電データを表示する結果表示部、
前記妊婦に対する指示の入力を受け付ける入力部、および、
前記入力部で受け付けた前記妊婦に対する指示を前記妊婦・胎児心電計測装置に送信する指示送信部、
を備える結果表示装置と、
から構成され、
前記妊婦・胎児心電計測装置は、前記指示送信部が送信した前記妊婦に対する指示を受信する指示受信部、および、前記指示受信部で受信した前記妊婦に対する指示を提示する指示提示部、を備える、
ことを特徴とする妊婦・胎児心電計測システム。
【請求項７】
所定の位置に配置されて、心電データを抽出可能な電位データを検出する複数の電極と、
前記複数の電極で検出した電位データを無線で送信する送信部と、
を備え、妊婦の腹部に装着可能であることを特徴とする腹帯。
【請求項８】
妊婦の腹部に装着可能な腹帯の所定の位置に配置された複数の電極により、電位データを取得する電位検出ステップと、
前記電位データを無線により送信する送信ステップと、
前記送信ステップで送信された電位データを受信する受信ステップと、
前記受信ステップで受信した電位データから、前記妊婦と胎児それぞれの心電データを分離して抽出する妊婦・胎児心電分離ステップと、
を備えることを特徴とする妊婦・胎児心電計測方法。
【請求項９】
前記妊婦と胎児それぞれの心電データから、前記妊婦および胎児の状態の分析を行う分析ステップを備えることを特徴とする請求項８に記載の妊婦・胎児心電計測方法。
【請求項１０】
コンピュータに、
妊婦の腹部に装着可能な腹帯の所定の位置に配置された複数の電極により、電位データを取得する電位検出ステップと、
前記電位データを無線により送信する送信ステップと、
前記送信ステップで送信された電位データを受信する受信ステップと、
前記受信ステップで受信した電位データから、前記妊婦と胎児それぞれの心電データを分離して抽出する妊婦・胎児心電分離ステップと、
を実行させることを特徴とするプログラムを記録したコンピュータ読み取り可能な記録媒体。
【発明の詳細な説明】
【技術分野】
【０００１】
本発明は妊婦と胎児の心電位を計測する技術に関する。
【背景技術】
【０００２】
妊婦や胎児の健康状態や出産前の状態の確認のために、様々な妊婦や胎児の生体情報取得を行う装置が存在する。特に、妊婦と胎児の心臓の状態は重要な指標の一つであり、出産直前の妊婦に対し計測装置を取り付けて妊婦と胎児の心電を計測することが行われている。代表的な装置は、特許文献５や特許文献４のような、ベッドで安静にしている妊婦の腹部に対して電極を装着し、胎児の心電を計測するものである。また、より気軽に妊婦が胎児の心臓の状態を知るための装置として、特許文献３のようなマイクにより胎児の心音を収録する装置が提案されている。【０００３】
その他、心臓の状態以外に、胎児の状態を観察するための装置が提案されている（特許文献１および２参照）。例えば、特許文献２には、妊婦の体調や胎児の状態を常時モニタリングするための体調管理装置が記載されている。特許文献２の体調管理装置では、妊婦が腹部に装着する腹帯の内側に、体温センサ、脈拍および血圧センサ、マイクロフォンを取り付けて、生体情報を収集する。
【先行技術文献】
【特許文献】
【０００４】
【特許文献１】特開２００１−２７６０７９号公報
【特許文献２】特開２００３−１１１７６０号公報
【特許文献３】特開２００６−２８８６２０号公報
【特許文献４】特開２００９−１６０４１０号公報
【特許文献５】特表２００９−５３２０７２号公報
【発明の概要】
【発明が解決しようとする課題】
【０００５】
現在、妊婦が胎児の健康状態を知る機会が検診時に限定されており、妊婦が自分の手で胎児の健康状態をリアルタイムに知るニーズが高まっており、胎児の健康状態異常の妊婦自身による早期の気付きを得るためには妊婦自身で日常的・長時間胎児の心電を計測する装置が適していると考えられる。【０００６】
しかし、特許文献５に記載の技術では、妊婦が安静にしている必要があるため、日常的に胎児の心臓の状態を確認するといった用途に使えないという問題がある。さらに電極を正確な位置に装着する必要があるために専門家の知識が必要なので素人が日常的測定に使えないという問題があった。また、特許文献４の技術では多点で取得した電位を分析して胎児心電を抽出するという手法を採用することで電極の装着位置がある程度正確でなくても胎児心電の計測ができるものであるが、妊婦を安静にする必要があり、多数の電極の着脱を行う手間もあるので日常的に胎児の心臓の状態を確認するといった用途に使えないという問題があった。【０００７】
また、特許文献２または３に記載の技術では、日常的に胎児の心音を確認することができるが、心音は胎児の状態を知るための指標として心電よりも情報量が少なく不十分であるという問題があった。具体的に、心音では不整脈などの拍動のリズムそのものの異常を検出することはできるが、低カリウム血症や高カリウム血症などの、拍動のリズムではなく心電の波形の変化・異常により検出される症状に対応できない。さらに特許文献２に記載の心音を収録する方法では、衣ズレなどにより発生するノイズが混入してしまうという問題点がある。【０００８】
本発明は上述のような事情に鑑みてなされたもので、妊婦が自分で日常的に長時間胎児の心電を計測できるようにすることを目的とする。
【課題を解決するための手段】
【０００９】
本発明の第１の観点に係る妊婦・胎児心電計測装置は、
複数の電極が所定の位置に配置され、妊婦の腹部に装着可能な腹帯と、
前記複数の電極により電位データを取得する電位検出部と、
前記電位データを無線により送信する送信部と、
前記送信部で送信された電位データを受信する受信部と、
前記受信部で受信した電位データから、前記妊婦と胎児それぞれの心電データを分離して抽出する妊婦・胎児心電分離部と、
を備えることを特徴とする。【００１０】
本発明の第２の観点に係る妊婦・胎児心電計測システムは、
複数の電極が所定の位置に配置され、妊婦の腹部に装着可能な腹帯、
前記複数の電極により電位データを取得する電位検出部、
前記電位データを無線により送信する送信部、
前記送信部で送信された電位データを受信する受信部、
前記受信部で受信した電位データから、前記妊婦と胎児それぞれの心電データを分離して抽出する妊婦・胎児心電分離部、および、
前記妊婦と胎児それぞれの心電データを、結果表示装置に送信する結果送信部、
を備える妊婦・胎児心電計測装置と、
前記結果送信部が送信した前記妊婦と胎児それぞれの心電データを受信する結果受信部、
前記結果受信部で受信した前記妊婦と胎児それぞれの心電データを表示する結果表示部、
前記妊婦に対する指示の入力を受け付ける入力部、および、
前記入力部で受け付けた前記妊婦に対する指示を前記妊婦・胎児心電計測装置に送信する指示送信部、
を備える結果表示装置と、
から構成され、
前記妊婦・胎児心電計測装置は、前記指示送信部が送信した前記妊婦に対する指示を受信する指示受信部、および、前記指示受信部で受信した前記妊婦に対する指示を提示する指示提示部、を備える、
ことを特徴とする。【００１１】
本発明の第３の観点に係る腹帯は、
所定の位置に配置されて、心電データを抽出可能な電位データを検出する複数の電極と、
前記複数の電極で検出した電位データを無線で送信する送信部と、
を備え、妊婦の腹部に装着可能なことを特徴とする。【００１２】
本発明の第４の観点に係る妊婦・胎児心電計測方法は、
妊婦の腹部に装着可能な腹帯の所定の位置に配置された複数の電極により、電位データを取得する電位検出ステップと、
前記電位データを無線により送信する送信ステップと、
前記送信ステップで送信された電位データを受信する受信ステップと、
前記受信ステップで受信した電位データから、前記妊婦と胎児それぞれの心電データを分離して抽出する妊婦・胎児心電分離ステップと、
を備えることを特徴とする。【００１３】
本発明の第５の観点に係るコンピュータ読み取り可能な記録媒体に記録されたプログラムは、コンピュータに、
妊婦の腹部に装着可能な腹帯の所定の位置に配置された複数の電極により、電位データを取得する電位検出ステップと、
前記電位データを無線により送信する送信ステップと、
前記送信ステップで送信された電位データを受信する受信ステップと、
前記受信ステップで受信した電位データから、前記妊婦と胎児それぞれの心電データを分離して抽出する妊婦・胎児心電分離ステップと、
を実行させることを特徴とする。
【発明の効果】
【００１４】
本発明によれば、妊婦が日常的に胎児の心電を計測することができる。より詳しくは、複数の電位取得用電極および送信手段を備える腹帯を妊婦が装着することによって、妊婦は日常生活を送りながら計測装置に拘束されることなく胎児の心電を計測することができる。さらに日常的に計測を行う際に多数の電極を着脱する手間を省くことができる。
【図面の簡単な説明】
【００１５】
【図１】本発明の実施の形態に係る電位取得用腹帯の構成例を示すブロック図である。
【図２】実施の形態に係る腹帯の使用状況の例を示す図である。
【図３】実施の形態に係る腹帯の使用状況の異なる例を示す図である。
【図４】本発明の実施の形態１に係る妊婦・胎児心電計測装置の構成例を示すブロック図である。
【図５】実施の形態１に係る妊婦・胎児心電計測装置の例を示す図である。
【図６】実施の形態１の心電データ分析動作の一例を示す流れ図である。
【図７】本発明の実施の形態２に係る妊婦・胎児心電計測装置の構成例を示すブロック図である。
【図８】実施の形態２に係る妊婦・胎児心電計測装置の例を示す図である。
【図９】実施の形態２の心電データ分析動作の一例を示す流れ図である。
【図１０】本発明の実施の形態３に係る妊婦・胎児心電計測システムの構成例を示すブロック図である。
【図１１】実施の形態３に係る妊婦・胎児心電計測システムの例を示す図である。
【図１２】実施の形態３の心電データ分析動作の一例を示す流れ図である。
【図１３】本発明の実施の形態４に係る妊婦・胎児心電計測システムの構成例を示すブロック図である。
【図１４】実施の形態４に係る妊婦・胎児心電計測システムの例を示す図である。
【図１５】実施の形態４の心電データ分析動作の一例を示す流れ図である。
【発明を実施するための形態】
【００１６】
以下、本発明の実施の形態について図面を参照して詳細に説明する。なお図中、同一または同等の部分には同一の符号を付す。
【００１７】
図１は、本発明の実施の形態に係る電位取得用腹帯の構成例を示すブロック図である。図２は、実施の形態に係る腹帯の使用状況の例を示す図である。電位取得用腹帯１（以下、腹帯１という）には、妊婦の腹部皮膚に接触するように内側に複数の電位取得用電極１１（以下、単に電極１１という）が取り付けられている。複数の電極１１は、心電データを抽出するための電位データを得るために、皮膚に接触して電位を検出する。電極１１で検出された電位は、電位データ送信部１２に送られる。電位データ送信部１２は、複数の電極１１から送られた電位を電位データとして、記憶するか、または無線で送信する。
【００１８】
図１の電極１１は例えば導電性繊維で製作され、肌触りが良く皮膚に密着するタイプの電極１１を用いることが好ましい。図２の電位データ送信部１２はここでは電位を送信する手段ではなく電位のデータを記録するための電位記録装置であり、例えばＳＤカードである。電極１１は妊婦の腹部皮膚に接触し、妊婦腹部の電位を取得して電位記録装置（電位データ送信部１２）に送る。電位記録装置は複数の電極１１から送られた電位データＳＤカードに記録する。電位データを記録したのち、例えば１日分の電位データを記録したＳＤカードが後述する妊婦・胎児心電計測部２０に接続され、妊婦・胎児心電計測部２０は、電位データから妊婦と胎児それぞれの心電データを分離して抽出する。
【００１９】
図３は、実施の形態に係る腹帯の使用状況の異なる例を示す図である。図３の例では、電位データ送信部１２は、無線通信によって電位データを送信する。電位データ送信部１２は、例えば、BlueTooth（登録商標）または無線ＬＡＮなどを用いる。電位受信部２１は、電位データ送信部１２から送信された電位データを受信する。電位受信部２１は、電位データ送信部１２と同じく、例えば、BlueTooth（登録商標）または無線ＬＡＮなどを用いる。
【００２０】
電位受信部２１は、電位記録部５０に接続され、受信した電位データを電位記録部５０に送る。電位記録部５０は、電位データを記憶する。電位記録部５０は、例えば、ＳＤカードのような記憶媒体に電位データを記録する。あるいは、電位記録部５０は妊婦・胎児心電計測部２０に内蔵されて、電位データを磁気ディスク装置または固体記憶装置のような不揮発メモリに記憶する。
【００２１】
ＳＤカードなどの記憶媒体に電位データを記録する場合は、図２の例と同様に、電位データを記録したＳＤカードが妊婦・胎児心電計測部２０に接続され、妊婦・胎児心電計測部２０は、妊婦と胎児それぞれの心電データを分離して抽出する。電位記録部５０が妊婦・胎児心電計測部２０に内蔵される場合は、妊婦・胎児心電計測部２０は、記憶した電位データから妊婦と胎児それぞれの心電データを分離して抽出する。
【００２２】
腹帯１は、図２または図３いずれの構成でも構わない。以下の実施の形態では、主に図３の構成を想定して説明する。電位データを無線などで妊婦・胎児心電計測部２０に送信する場合は、心電データをリアルタイムに分析することができる。
【００２３】
（実施の形態１）
図４は、本発明の実施の形態１に係る妊婦・胎児心電計測装置の構成例を示すブロック図である。実施の形態１の妊婦・胎児心電計測装置２は、腹帯１と妊婦・胎児心電計測部２０から構成される。腹帯１は、図１または図３に示す腹帯１である。腹帯１は、図１で説明したように、複数の電極１１から送られた電位を電位データとして、妊婦・胎児心電計測部２０に送信する。
【００２４】
妊婦・胎児心電計測部２０は、電位受信部２１、妊婦・胎児心電分離部２２、妊婦・胎児心電分析部２３および情報提示部２４を備える。電位受信部２１は、図３で説明したように、腹帯１から送信された電位データを受信する。電位受信部２１は、ここでは、受診した電位データを妊婦・胎児心電分離部２２に送る。
【００２５】
妊婦・胎児心電分離部２２は、複数の電位が混交した電位データから妊婦と胎児それぞれの心電データを分離して抽出する。妊婦・胎児心電分離部２２は、妊婦と胎児それぞれの心電データを妊婦・胎児心電分析部２３に送る。妊婦・胎児心電分析部２３は、妊婦と胎児それぞれの心電データを分析して、異常状態の抽出などの分析を行い分析結果を情報提示部２４に送る。情報提示部２４は、妊婦・胎児心電分析部２３から送られた妊婦と胎児それぞれの心電データおよび分析結果を提示する。
【００２６】
妊婦・胎児心電計測装置２の各部は、詳しくは以下のように動作する。妊婦が腹帯１を装着すると、電極１１は妊婦の腹部皮膚に接触し、妊婦腹部の電位を取得して電位データ送信部１２に送る。電位データ送信部１２は複数の電極１１から送られた電位を無線などにより電位受信部２１に送る。
【００２７】
電位受信部２１は電位データ送信部１２から送られた複数の電位を妊婦・胎児心電分離部２２に送る。妊婦・胎児心電分離部２２は複数の電位が混交した電位データから妊婦心電および胎児心電の分離抽出を行い、妊婦心電および胎児心電のデータを妊婦・胎児心電分析部２３に送る。
【００２８】
妊婦・胎児心電分離部２２による妊婦と胎児それぞれの心電データを分離するには、例えばＩＣＡ（Independent Component Analysis：独立成分分析）などの手法が挙げられる。ＩＣＡは、多変量の信号を複数の独立成分に分離する計算手法であり、妊婦の腹筋の電位や妊婦の心電、胎児の心電といった信号が混交した計測電位を、これらの独立した電位に分離するための手法として使用できる。
【００２９】
妊婦・胎児心電分離部２２は、例えばＩＣＡで電位の独立成分の分離を行い、電位のピーク間隔が常識的な心拍数の範囲内に収まっている信号を抽出する。そして、抽出した信号の大きさが１番目に大きいものを妊婦の心電、２番目に大きいものを胎児の心電として抽出する。
【００３０】
妊婦・胎児心電分析部２３は、妊婦・胎児心電分離部２２から送られた妊婦と胎児それぞれの心電データを分析して異常抽出などを行い、情報提示部２４に送る。妊婦・胎児心電分析部２３が行う分析の例としては、例えば「妊婦心電や胎児心電などのデータが抽出されない」、「妊婦心電の心拍または波形が異常である」、「胎児心電の心拍または波形が異常である」といったものが挙げられる。これらの異常分析は、例えば、心電データの特徴の妊婦と胎児それぞれの正常範囲を予め定めておいて、送られた心電データの特徴がその範囲に収まるかどうかを調べることによって行う。心電データの特徴は、例えば、周期、最大値と最小値の差、変化率の最大値、含まれる周波数成分の基本周波数（周期）に対する比率、などがあり得る。心電データの分析に用いる特徴については、医学的な見地から決めることができる。
【００３１】
情報提示部２４は、妊婦・胎児心電分析部２３から送られた妊婦と胎児それぞれの心電データおよび分析結果を、画像やアラート音などで提示する。
【００３２】
図５は、実施の形態１に係る妊婦・胎児心電計測装置の例を示す図である。図５の例は、図３に示す腹帯１と、妊婦・胎児心電計測部２０に相当するデータ分析用コンピュータ３０が無線で通信する構成である。例えば、電位受信部２１はデータ分析用コンピュータ３０に内蔵されBlueTooth（登録商標）通信機能によりデータ受信を行う小型通信機である。
【００３３】
図５に示す例では、妊婦・胎児心電分離部２２と妊婦・胎児心電分析部２３は、データ分析用コンピュータ３０上で動作するプログラムで実現される。また、情報提示部２４はデータ分析用コンピュータ３０に接続する表示装置に、妊婦・胎児心電図および心拍数と、妊婦・胎児心電の異常を表示する、データ分析用コンピュータ３０上で動作するプログラムである。
【００３４】
図６は、実施の形態１の心電データ分析動作の一例を示す流れ図である。まず、電極１１は妊婦の腹部皮膚に接触し、妊婦腹部の電位を取得して電位データ送信部１２に送る（ステップＳ１０）。次に、電位データ送信部１２は複数の電極１１から送られた電位を電位データとして、無線通信により妊婦・胎児心電計測部２０に送信し、電位受信部２１は、電位データを受信する（ステップＳ１１）。
【００３５】
次に、妊婦・胎児心電分離部２２は、例えばＩＣＡ手法により電位データを分離し、さらに分離した電位データからピーク間隔分析と波形の大きさの分析により妊婦と胎児それぞれの心電データを抽出する（ステップＳ１２）。妊婦・胎児心電分析部２３は、妊婦と胎児それぞれの心電データを分析し、例えば、妊婦・胎児心電らしい心電データの在否と、心拍数が異常な値か否かの分析により、妊婦と胎児それぞれの心電の異常を判定する（ステップＳ１３）。
【００３６】
情報提示部２４は、例えば表示装置の画像やアラート音で、妊婦・胎児心電図および心拍数と、分析結果である妊婦・胎児心電が異常であるか否かの情報を提示する（ステップＳ１４）。妊婦・胎児心電計測装置２は、停止されるまで、ステップＳ１０に戻って、電位データ取得から繰り返す。
【００３７】
以上説明したように、本実施の形態１の妊婦・胎児心電計測装置２によれば、電極１１と電位データ送信部１２を備える腹帯１を妊婦が装着することによって、妊婦と胎児それぞれの心電データを計測することができる。妊婦は計測装置に拘束されることなく日常生活を送りながら胎児心電を計測することができ、さらに日常的に計測を行う際に多数の電極１１を着脱する手間を省くことができる。
【００３８】
また、妊婦・胎児心電計測装置２では、胎児心電分離手段はＩＣＡなどの手法により多数の電極１１により取得した複数の電位が混交した電位データから、妊婦と胎児それぞれの心電データを分離して抽出するように構成されているため、素人のみで計測を行う際にも正しく胎児の心電データを計測することができる。さらに日常生活中の動作により生じるノイズから胎児心電を分離して抽出することができる。
【００３９】
本実施の形態１の妊婦・胎児心電計測装置２では、多数の電極１１により得た電位を分離する手法を用いているので、腹帯１の位置が大まかにさえあっていれば動的に妊婦心電と胎児心電が分離される。その結果、素人のみで計測を行う際にも正しく妊婦心電と胎児心電を見つけることができ、さらに日常生活中の動作により生じるノイズから妊婦心電と胎児心電を分離することができる。
【００４０】
（実施の形態２）
図７は、本発明の実施の形態２に係る妊婦・胎児心電計測装置の構成例を示すブロック図である。実施の形態２では、妊婦の加速度を検出して、加速度から妊婦の動作を判定する。そして、判定した動作と分離抽出した心電データから、妊婦と胎児の状態を分析する。実施の形態２では、実施の形態１の構成に加えて、腹帯１は加速度センサ１３と加速度データ送信部１４を備える。また、妊婦・胎児心電計測部２０は、加速度データ受信部２５および動作判定部２６を備える。その他の構成は実施の形態１と同様である。ただし、妊婦・胎児心電分析部２３は、判定した動作を加味して、妊婦と胎児の状態を分析する。
【００４１】
図７に示す加速度センサ１３は、腹帯１を装着した妊婦の身体の加速度を検出する。加速度センサ１３は、検出した加速度を加速度データとして加速度データ送信部１４に送る。加速度データ送信部１４は、加速度データを妊婦・胎児心電計測部２０の加速度データ受信部２５に送信する。
【００４２】
加速度データ送信部１４は、電位データ送信部１２と送信機を共用してもよい。加速度データ送信部１４と電位データ送信部１２は、それぞれのデータフォーマットで送信するデータを生成する。
【００４３】
妊婦・胎児心電計測部２０の加速度データ受信部２５は、加速度データ送信部１４から送信された加速度データを受信して、動作判定部２６に送る。動作判定部２６は、加速度データ受信部２５から送られた妊婦身体の加速度データから妊婦の動作の大きさを判定して、判定した動作の情報を妊婦・胎児心電分析部２３に送る。
【００４４】
実施の形態２でも、電位データ送信部１２は電位データを送信し、電位受信部２１は電位データを受信する。そして、妊婦・胎児心電分離部２２は、電位データから妊婦と胎児それぞれの心電図データを分離抽出する。
【００４５】
妊婦・胎児心電分析部２３は、妊婦・胎児心電分離部２２から送られた妊婦と胎児それぞれの心電データ、および動作判定部２６から送られた妊婦身体の動作の情報から、妊婦と胎児の状態を分析する。妊婦・胎児心電分析部２３は、例えば、異常状態の抽出などの分析を行う。妊婦・胎児心電分析部２３は、分析結果を情報提示部２４に送る。
【００４６】
妊婦・胎児心電分析部２３は、実施の形態１で説明した分析に加えて、例えば、妊婦の動作の大きさによって、妊婦と胎児それぞれの心電データが信頼できるかどうかを判断する。例えば、妊婦身体の動作が所定の範囲を超える場合に、「妊婦身体の動作が大きいので、抽出された妊婦と胎児それぞれの心電データは信頼できない」という状態であると判断する。
【００４７】
図８は、実施の形態２に係る妊婦・胎児心電計測装置の例を示す図である。図８の例では、図５に示す腹帯１に、加速度センサ１３と加速度データ送信部１４を備えることが示されている。図５と同様、腹帯１と、妊婦・胎児心電計測部２０に相当するデータ分析用コンピュータ３０が無線で通信する構成である。
【００４８】
図８に示す例では、加速度データ受信部２５は、データ分析用コンピュータ３０が備えるBlueTooth（登録商標）または無線ＬＡＮなどの無線機と、データ分析用コンピュータ３０上で動作するプログラムで実現される。また、動作判定部２６と妊婦・胎児心電分析部２３は、データ分析用コンピュータ３０上で動作するプログラムで実現される。その他は図５の構成と同様である。
【００４９】
なお、加速度センサ１３および加速度データ送信部１４は、電極１１と電位データ送信部１２を備える腹帯１とは別体で妊婦の身体に装着するように構成してもよい。加速度センサ１３および加速度データ送信部１４を、電極１１を備える腹帯１と一体に構成する場合は、装着の手間が省略できる。加速度センサ１３および加速度データ送信部１４が別体の場合は、電極１１と電位データ送信部１２のみを装着することができる。
【００５０】
図９は、実施の形態２の心電データ分析動作の一例を示す流れ図である。電極１１は妊婦の腹部皮膚に接触し、妊婦腹部の電位を取得して電位データ送信部１２に送る（ステップＳ２０）。また、加速度センサ１３は妊婦身体の加速度を取得して加速度データ送信部１４に送る（ステップＳ２１）。図９では、電位データ取得に続いて加速度データ取得を行うように記載しているが、電位データと加速度データはそれぞれ独立に取得されるので、いずれが先でもかまわないし、同時に行ってもよい。
【００５１】
電位データ送信部１２は複数の電極１１から送られた電位を無線などにより電位受信部２１に送信し、電位受信部２１は電位データを受信する。また、加速度データ送信部１４は、加速度センサ１３から送られた妊婦身体の加速度データを無線などで加速度データ受信部２５へ送信し、加速度データ受信部２５は、加速度データを受信する（ステップＳ２２）。図９では、電位データ送信部１２と加速度データ送信部１４は、無線機を共用することを想定している。電位データと加速度データを、同時に送信してもよいし、別々に送信してもよい。
【００５２】
次に、動作判定部２６は、加速度データ受信部２５から送られた加速度データから、妊婦の動作の大きさを判定して判定結果を妊婦・胎児心電分析部２３に送る（ステップＳ２３）。妊婦・胎児心電分離部２２は、実施の形態１と同様に複数の電位が混交した電位データを分離し、さらに分離した電位データからピーク間隔分析と波形の大きさの分析により妊婦と胎児それぞれの心電データを抽出する（ステップＳ２４）。
【００５３】
妊婦・胎児心電分析部２３は妊婦・胎児心電分離部２２から送られた妊婦と胎児それぞれの心電データおよび動作判定部２６から送られた妊婦身体の動作を分析して、妊婦と胎児の状態を分析する（ステップＳ２５）。情報提示部２４は妊婦・胎児心電分析部２３から送られた妊婦と胎児それぞれの心電データおよび分析結果を、画像やアラート音などで提示する（ステップＳ２６）。
【００５４】
以上説明したように、本実施の形態２の妊婦・胎児心電計測装置２によれば、実施の形態１の処理に加えて、加速度センサ１３から取得した妊婦身体の加速度データから妊婦身体の動作を判定する。そして、妊婦身体の動作を用いて妊婦・胎児心電の分析を行う。そのため、実施の形態１の効果に加えて、妊婦身体の動作を加味して、より正確に妊婦と胎児の状態を分析することができる。
【００５５】
（実施の形態３）
図１０は、本発明の実施の形態３に係る妊婦・胎児心電計測システムの構成例を示すブロック図である。実施の形態３では、妊婦・胎児心電計測装置２から妊婦と胎児それぞれの心電データを医療機関設置部３に送信する。医療機関設置部３では、心電データを表示し、医師の指示の入力を受け付けて妊婦・胎児心電計測装置２に送信する。実施の形態３の妊婦胎児心電計測システムは、妊婦・胎児心電計測装置２と医療機関設置部３から構成される。妊婦・胎児心電計測装置２と医療機関設置部３は、例えばインターネットを経由してデータを送受信する。
【００５６】
図１０に示すように、妊婦・胎児心電計測装置２は、実施の形態１の構成に加えて、分析結果送信部２７、指示受信部２８および指示提示部２９を備える。その他の構成は、実施の形態１の妊婦・胎児心電計測装置２と同様である。医療機関設置部３は、分析結果受信部３１、分析結果提示部３２、指示入力部３３および指示送信部３４を備える。
【００５７】
妊婦・胎児心電計測装置２は、実施の形態１と同様に、妊婦と胎児それぞれの心電データを抽出し、心電データを分析する。妊婦・胎児心電分析部２３は、妊婦と胎児それぞれの心電データと分析結果を分析結果送信部２７に送る。分析結果送信部２７は、例えば、インターネットを経由して、妊婦と胎児それぞれの心電データと分析結果を医療機関設置部３の分析結果受信部３１に送信する。
【００５８】
医療機関設置部３の分析結果受信部３１は、受信した妊婦と胎児それぞれの心電データと分析結果を、分析結果提示部３２に送る。分析結果提示部３２は、心電データおよび分析結果を、画像やアラート音などで提示する。心電データおよび分析結果を表示すると、指示入力部３３は、医師などの指示データの入力を受け付ける。
【００５９】
妊婦と胎児それぞれの心電データおよび分析結果を見た医療機関の医師は、妊婦に対する指示を医療機関設置部３に入力できる。指示の入力は、任意の文を入力する形式でもよいし、予め登録された指示の項目を選択する方法によることもできる。指示入力部３３は、入力された指示データを指示送信部３４に送る。指示送信部３４は、指示データをインターネットなどを経由して妊婦・胎児心電計測部２０の指示受信部２８に送信する。
【００６０】
妊婦・胎児心電計測部２０の指示受信部２８は、受信した指示データを指示提示部２９に送る。指示提示部２９は、指示データを妊婦に向けて提示する。指示提示部２９は、例えば、指示データを表す文字または画像で指示データを提示したり、指示データを表す音声を提示したりする。
【００６１】
図１１は、実施の形態３に係る妊婦・胎児心電計測システムの例を示す図である。図１１の妊婦・胎児心電計測システムは、図５に示す妊婦・胎児心電計測装置２と、医療機関に設置する分析指示用コンピュータ４０から構成される。妊婦・胎児心電計測部２０に相当するデータ分析用コンピュータ３０と、医療機関設置部３に相当する分析指示用コンピュータ４０はインターネットを経由してデータを送受信する。インターネットに接続する通信回線は、例えばＡＤＳＬ、光通信回線、ケーブルＴＶ、無線ＬＡＮのアクセスポイントまたは携帯電話回線などを用いることができる。
【００６２】
妊婦・胎児心電計測部２０に相当するデータ分析用コンピュータ３０は、通信ネットワークへ送受信する通信手段を備える。分析結果送信部２７および指示受信部２８は、通信手段を資源として用いるデータ分析用コンピュータ３０上で動作するプログラムで実現できる。また、指示提示部２９は、情報提示部２４と同様、データ分析用コンピュータ３０に接続する表示装置に指示データを表示する、データ分析用コンピュータ３０上で動作するプログラムで実現される。
【００６３】
医療機関設置部３に相当する分析指示用コンピュータ４０は、通信ネットワークへ送受信する通信手段を備える。分析結果受信部３１および指示送信部３４は、通信手段を資源として用いる分析指示用コンピュータ４０上で動作するプログラムで実現できる。分析結果提示部３２は、分析指示用コンピュータ４０に接続する表示装置に心電データを表示する、分析指示用コンピュータ４０上で動作するプログラムで実現される。また、指示入力部３３は、マウスなどのポインティングデバイスまたはキーボードなどの入力装置を用いる、分析指示用コンピュータ４０上で動作するプログラムで実現される。
【００６４】
医療機関設置部３は、過去に受信した妊婦と胎児それぞれの心電データと分析結果を記憶装置に記憶しておいて、オペレータの指示にしたがって、過去の心電データを表示するように構成することができる。医師は過去の心電データを見て、妊婦と胎児の経過を判断することができる。
【００６５】
図１２は、実施の形態３の心電データ分析動作の一例を示す流れ図である。妊婦・胎児心電計測装置２のステップＳ３０〜ステップＳ３４の動作は、図６のステップＳ１０〜ステップＳ１４と同様である。妊婦・胎児心電分析部２３は、妊婦と胎児それぞれの心電データと分析結果（分析情報）を分析結果送信部２７に送り、分析結果送信部２７は、それらの分析情報を医療機関設置部３に送信する（ステップＳ３５）。
【００６６】
医療機関設置部３では、分析結果受信部３１は分析情報を受信して（ステップＴ１１）、分析結果提示部３２で分析情報を提示する（ステップＴ１２）。そして、指示入力部３３で医師などの指示の入力を受け付け、指示データが入力されると（ステップＴ１３）、指示送信部３４から指示データを妊婦・胎児心電計測装置２に送信する（ステップＴ１４）。そして、ステップＴ１１に戻って、新たな分析情報の受信から繰り返す。
【００６７】
妊婦・胎児心電計測装置２では、指示受信部２８は医療機関設置部３から指示データを受信する（ステップＳ３６）。そして、指示提示部２９は、受信した指示データを妊婦などに向けて画像や音声などで提示する（ステップＳ３７）。妊婦・胎児心電計測装置２は、停止されるまで、ステップＳ３０に戻って、電位データ取得から繰り返す。
【００６８】
以上説明したように、本実施の形態３では、妊婦・胎児心電計測装置２と医療機関設置部３とを通信ネットワークで接続し、通信を用いて医師などへ心電データと分析結果を提示する。また、医師からの指示の入力を受け付けて、妊婦・胎児心電計測装置２に送信して提示するよう構成されている。そのため、医師が日常の心電データをいつでも直接見ることができる。そして、心電データを見て的確に指示を行うことができる。その結果、妊婦が自宅などで行う計測に基づいて医師の指示を受けることができる。
【００６９】
（実施の形態４）
図１３は、本発明の実施の形態４に係る妊婦・胎児心電計測システムの構成例を示すブロック図である。実施の形態４の妊婦・胎児心電計測システムは、実施の形態２と同様に、妊婦の加速度を検出して、加速度から妊婦の動作を判定する。そして、判定した動作と分離抽出した心電データから、妊婦と胎児の状態を分析する。実施の形態４では、実施の形態３の構成に加えて、腹帯１は加速度センサ１３と加速度データ送信部１４を備える。図１３では、電極１１および電位データ送信部１２を省略している。また、妊婦・胎児心電計測部２０は、加速度データ受信部２５および動作判定部２６を備える。その他の構成は実施の形態３と同様である。ただし、妊婦・胎児心電分析部２３は、判定した動作を加味して、妊婦と胎児の状態を分析する。
【００７０】
実施の形態４の妊婦・胎児心電計測システムは、実施の形態３の妊婦・胎児心電計測システムと、実施の形態２の妊婦・胎児心電計測装置２を組み合わせた構成である。図１３の腹帯１は、図８に示す腹帯１と同様である。そして、図１３の加速度データ受信部２５、動作判定部２６および妊婦・胎児心電分析部２３は、図８に示す実施の形態２と同様である。
【００７１】
図１３の分析結果送信部２７は、妊婦の加速度データを加味して分析された結果を、医療機関設置部３に送信する。分析結果送信部２７は、加速度データ、および／または、動作判定部２６で判定した動作の情報を医療機関設置部３に送信してもよい。
【００７２】
医療機関設置部３では、受信するデータが妊婦の加速度データを加味して分析された結果であることを除いて、実施の形態３の医療機関設置部３と同様に動作する。妊婦・胎児心電計測部２０から妊婦の加速度データおよび／または判定した動作の情報を受信する場合は、分析結果提示部３２は、それらのデータを合わせて提示してもよい。加速度データまたは判定した動作の情報を提示することによって、医師は妊婦の動きを知ることができる。その結果、医師は妊婦の動きを考慮して指示を与えることができる。
【００７３】
図１３の妊婦・胎児心電計測部２０の指示受信部２８および指示提示部２９は、図１０に示す実施の形態３と同様に動作する。
【００７４】
図１４は、実施の形態４に係る妊婦・胎児心電計測システムの例を示す図である。図１４の妊婦・胎児心電計測システムは、図１１の妊婦・胎児心電計測システムと、図８に示す加速度センサ１３を含む腹帯１を組み合わせた構成である。
【００７５】
図１５は、実施の形態４の心電データ分析動作の一例を示す流れ図である。妊婦・胎児心電計測装置２のステップＳ４０〜ステップＳ４６の動作は、図９のステップＳ２０〜ステップＳ２６と同様である。妊婦・胎児心電分析部２３は、妊婦と胎児それぞれの心電データと、妊婦の動作を加味して分析した分析結果（分析情報）を分析結果送信部２７に送り、分析結果送信部２７は、それらの分析情報を医療機関設置部３に送信する（ステップＳ４７）。
【００７６】
医療機関設置部３のステップＴ２１〜ステップＴ２４の動作は、図１２のステップＴ１１〜ステップＴ１４と同様である。妊婦・胎児心電計測部２０から妊婦の加速度データおよび／または判定した動作の情報を受信する場合は、分析結果提示部３２は、それらのデータを合わせて提示する。そして、ステップＴ２１に戻って、新たな分析情報の受信から繰り返す。
【００７７】
妊婦・胎児心電計測装置２では、指示受信部２８は医療機関設置部３から指示データを受信する（ステップＳ４８）。そして、指示提示部２９は、受信した指示データを妊婦などに向けて画像や音声などで提示する（ステップＳ４９）。妊婦・胎児心電計測装置２は、停止されるまで、ステップＳ４０に戻って、電位データ取得から繰り返す。
【００７８】
以上説明したように実施の形態４の妊婦・胎児心電計測システムは、実施の形態３の構成に加えて、妊婦の加速度データから妊婦の動作を判定する。そして、妊婦の動作を加味して妊婦と胎児それぞれの心電データを分析する。そのため、妊婦身体の動作を加味して、より正確に妊婦と胎児の状態を分析することができる。
【００７９】
さらに、妊婦の加速度データおよび／または動作の情報を医療機関設置部３で提示することによって、医師は妊婦の動きを知ることができる。その結果、医師は妊婦の動きを考慮して指示を与えることができる。
【００８０】
上記の実施形態の一部または全部は、以下の付記のようにも記載されうるが、以下には限られない。
【００８１】
（付記１）
複数の電極が所定の位置に配置され、妊婦の腹部に装着可能な腹帯と、
前記複数の電極により電位データを取得する電位検出部と、
前記電位データを無線により送信する送信部と、
前記送信部で送信された電位データを受信する受信部と、
前記受信部で受信した電位データから、前記妊婦と胎児それぞれの心電データを分離して抽出する妊婦・胎児心電分離部と、
を備えることを特徴とする妊婦・胎児心電計測装置。
【００８２】
（付記２）
前記妊婦と胎児それぞれの心電データから、前記妊婦および胎児の状態の分析を行う分析部を備えることを特徴とする付記１に記載の妊婦・胎児心電計測装置。
【００８３】
（付記３）
前記腹帯は、前記腹帯を装着した妊婦の加速度データを検出する加速度センサを備え、
前記加速度データから前記妊婦の動作の大きさを判定する動作判定部を備え、
前記分析部は、前記妊婦と胎児それぞれの心電データおよび前記妊婦の動作の大きさに基づいて、前記妊婦および胎児の状態の分析を行うことを特徴とする付記２に記載の妊婦・胎児心電計測装置。
【００８４】
（付記４）
前記妊婦と胎児それぞれの心電データおよび／または前記妊婦および胎児の状態の分析結果を提示する情報提示部を備えることを特徴とする付記１ないし３のいずれかに記載の妊婦・胎児心電計測装置。
【００８５】
（付記５）
前記妊婦と胎児それぞれの心電データおよび／または前記妊婦および胎児の状態の分析結果を、結果表示装置に送信する結果送信部と、
前記結果表示装置から前記妊婦に対する指示を受信する指示受信部と、
前記指示受信部で受信した指示を提示する指示提示部と、
を備えることを特徴とする付記１ないし４のいずれかに記載の妊婦・胎児心電計測装置。
【００８６】
（付記６）
複数の電極が所定の位置に配置され、妊婦の腹部に装着可能な腹帯、
前記複数の電極により電位データを取得する電位検出部、
前記電位データを無線により送信する送信部、
前記送信部で送信された電位データを受信する受信部、
前記受信部で受信した電位データから、前記妊婦と胎児それぞれの心電データを分離して抽出する妊婦・胎児心電分離部、および、
前記妊婦と胎児それぞれの心電データを、結果表示装置に送信する結果送信部、
を備える妊婦・胎児心電計測装置と、
前記結果送信部が送信した前記妊婦と胎児それぞれの心電データを受信する結果受信部、
前記結果受信部で受信した前記妊婦と胎児それぞれの心電データを表示する結果表示部、
前記妊婦に対する指示の入力を受け付ける入力部、および、
前記入力部で受け付けた前記妊婦に対する指示を前記妊婦・胎児心電計測装置に送信する指示送信部、
を備える結果表示装置と、
から構成され、
前記妊婦・胎児心電計測装置は、前記指示送信部が送信した前記妊婦に対する指示を受信する指示受信部、および、前記指示受信部で受信した前記妊婦に対する指示を提示する指示提示部、を備える、
ことを特徴とする妊婦・胎児心電計測システム。
【００８７】
（付記７）
所定の位置に配置されて、心電データを抽出可能な電位データを検出する複数の電極と、
前記複数の電極で検出した電位データを無線で送信する送信部と、
を備え、妊婦の腹部に装着可能であることを特徴とする腹帯。
【００８８】
（付記８）
妊婦の腹部に装着可能な腹帯の所定の位置に配置された複数の電極により、電位データを取得する電位検出ステップと、
前記電位データを無線により送信する送信ステップと、
前記送信ステップで送信された電位データを受信する受信ステップと、
前記受信ステップで受信した電位データから、前記妊婦と胎児それぞれの心電データを分離して抽出する妊婦・胎児心電分離ステップと、
を備えることを特徴とする妊婦・胎児心電計測方法。
【００８９】
（付記９）
前記妊婦と胎児それぞれの心電データから、前記妊婦および胎児の状態の分析を行う分析ステップを備えることを特徴とする付記８に記載の妊婦・胎児心電計測方法。
【００９０】
（付記１０）
前記腹帯に備えられる加速度センサで、妊婦の加速度データを検出する加速度検出ステップと、
前記加速度データから前記妊婦の動作の大きさを判定する動作判定ステップを備え、
前記分析ステップでは、前記妊婦と胎児それぞれの心電データおよび前記妊婦の動作の大きさに基づいて、前記妊婦および胎児の状態の分析を行う、
ことを特徴とする付記９に記載の妊婦・胎児心電計測方法。
【００９１】
（付記１１）
前記妊婦と胎児それぞれの心電データおよび／または前記妊婦および胎児の状態の分析結果を提示する情報提示ステップを備えることを特徴とする付記８ないし１０のいずれかに記載の妊婦・胎児心電計測方法。
【００９２】
（付記１２）
前記妊婦と胎児それぞれの心電データおよび／または前記妊婦および胎児の状態の分析結果を、結果表示装置に送信する結果送信ステップと、
前記結果表示装置から前記妊婦に対する指示を受信する指示受信ステップと、
前記指示受信ステップで受信した指示を提示する指示提示ステップと、
を備えることを特徴とする付記８ないし１１のいずれかに記載の妊婦・胎児心電計測方法。
【００９３】
（付記１３）
コンピュータに、
妊婦の腹部に装着可能な腹帯の所定の位置に配置された複数の電極により、電位データを取得する電位検出ステップと、
前記電位データを無線により送信する送信ステップと、
前記送信ステップで送信された電位データを受信する受信ステップと、
前記受信ステップで受信した電位データから、前記妊婦と胎児それぞれの心電データを分離して抽出する妊婦・胎児心電分離ステップと、
を実行させることを特徴とするプログラムを記録したコンピュータ読み取り可能な記録媒体。
【００９４】
本発明は、発明の広い趣旨、範囲から外れることなく各種の実施形態とその変形が可能である。上記各実施形態は本発明を説明するためのものであり、本発明の範囲を限定することを意図したものではない。本発明の範囲は実施形態よりも、添付した請求項によって示される。請求項の範囲内、および発明の請求項と均等の範囲でなされた各種変形は本発明の範囲に含まれる。
【００９５】
本発明は、２０１２年６月２９日に出願された日本国特許出願２０１２−１４７７８９号に基づく。本明細書中に日本国特許出願２０１２−１４７７８９号の明細書、特許請求の範囲、図面全体を参照として取り込むものとする。
【産業上の利用可能性】
【００９６】
本発明によれば、胎児の健康状態異常の妊婦自身による早期の気付きを得ることに応用できる。
【符号の説明】
【００９７】
１  電位取得用腹帯
２  妊婦・胎児心電計測装置
３  医療機関設置部
１１  電位取得用電極
１２  電位データ送信部
１３  加速度センサ
１４  加速度データ送信部
２０  妊婦・胎児心電計測部
２１  電位受信部
２２  妊婦・胎児心電分離部
２３  妊婦・胎児心電分析部
２４  情報提示部
２５  加速度データ受信部
２６  動作判定部
２７  分析結果送信部
２８  指示受信部
２９  指示提示部
３０  データ分析用コンピュータ
３１  分析結果受信部
３２  分析結果提示部
３３  指示入力部
３４  指示送信部
４０  分析指示用コンピュータ
５０  電位記録部
【図１】
2014002823.tif 000003
【図２】
2014002823.tif 000004
【図３】
2014002823.tif 000005
【図４】
2014002823.tif 000006
【図５】
2014002823.tif 000007
【図６】
2014002823.tif 000008
【図７】
2014002823.tif 000009
【図８】
2014002823.tif 000010
【図９】
2014002823.tif 000011
【図１０】
2014002823.tif 000012
【図１１】
2014002823.tif 000013
【図１２】
2014002823.tif 000014
【図１３】
2014002823.tif 000015
【図１４】
2014002823.tif 000016
【図１５】
2014002823.tif 000017
【手続補正書】
【提出日】平成26年10月17日(2014.10.17)
【手続補正２】
【補正対象書類名】明細書
【補正対象項目名】００１３
【補正方法】変更
【補正の内容】
【００１３】
本発明の第５の観点に係るプログラムは、コンピュータに、
妊婦の腹部に装着可能な腹帯の所定の位置に配置された複数の電極により、電位データを取得する電位検出ステップと、
前記電位データを無線により送信する送信ステップと、
前記送信ステップで送信された電位データを受信する受信ステップと、
前記受信ステップで受信した電位データから、前記妊婦と胎児それぞれの心電データを分離して抽出する妊婦・胎児心電分離ステップと、
を実行させることを特徴とする。
【手続補正３】
【補正対象書類名】特許請求の範囲
【補正対象項目名】全文
【補正方法】変更
【補正の内容】
【特許請求の範囲】
【請求項１】
複数の電極が所定の位置に配置され、妊婦の腹部に装着可能な腹帯と、
前記複数の電極により電位データを取得する電位検出部と、
前記電位データを無線により送信する送信部と、
前記送信部で送信された電位データを受信する受信部と、
前記受信部で受信した電位データから、前記妊婦と胎児それぞれの心電データを分離して抽出する妊婦・胎児心電分離部と、
を備えることを特徴とする妊婦・胎児心電計測装置。
【請求項２】
前記妊婦と胎児それぞれの心電データから、前記妊婦および胎児の状態の分析を行う分析部を備えることを特徴とする請求項１に記載の妊婦・胎児心電計測装置。
【請求項３】
前記腹帯は、前記腹帯を装着した妊婦の加速度データを検出する加速度センサを備え、
前記加速度データから前記妊婦の動作の大きさを判定する動作判定部を備え、
前記分析部は、前記妊婦と胎児それぞれの心電データおよび前記妊婦の動作の大きさに基づいて、前記妊婦および胎児の状態の分析を行うことを特徴とする請求項２に記載の妊婦・胎児心電計測装置。
【請求項４】
前記妊婦と胎児それぞれの心電データおよび／または前記妊婦および胎児の状態の分析結果を提示する情報提示部を備えることを特徴とする請求項１ないし３のいずれか１項に記載の妊婦・胎児心電計測装置。
【請求項５】
前記妊婦と胎児それぞれの心電データおよび／または前記妊婦および胎児の状態の分析結果を、結果表示装置に送信する結果送信部と、
前記結果表示装置から前記妊婦に対する指示を受信する指示受信部と、
前記指示受信部で受信した指示を提示する指示提示部と、
を備えることを特徴とする請求項１ないし４のいずれか１項に記載の妊婦・胎児心電計測装置。
【請求項６】
複数の電極が所定の位置に配置され、妊婦の腹部に装着可能な腹帯、
前記複数の電極により電位データを取得する電位検出部、
前記電位データを無線により送信する送信部、
前記送信部で送信された電位データを受信する受信部、
前記受信部で受信した電位データから、前記妊婦と胎児それぞれの心電データを分離して抽出する妊婦・胎児心電分離部、および、
前記妊婦と胎児それぞれの心電データを、結果表示装置に送信する結果送信部、
を備える妊婦・胎児心電計測装置と、
前記結果送信部が送信した前記妊婦と胎児それぞれの心電データを受信する結果受信部、
前記結果受信部で受信した前記妊婦と胎児それぞれの心電データを表示する結果表示部、
前記妊婦に対する指示の入力を受け付ける入力部、および、
前記入力部で受け付けた前記妊婦に対する指示を前記妊婦・胎児心電計測装置に送信する指示送信部、
を備える結果表示装置と、
から構成され、
前記妊婦・胎児心電計測装置は、前記指示送信部が送信した前記妊婦に対する指示を受信する指示受信部、および、前記指示受信部で受信した前記妊婦に対する指示を提示する指示提示部、を備える、
ことを特徴とする妊婦・胎児心電計測システム。
【請求項７】
所定の位置に配置されて、心電データを抽出可能な電位データを検出する複数の電極と、
前記複数の電極で検出した電位データを無線で送信する送信部と、
を備え、妊婦の腹部に装着可能であることを特徴とする腹帯。
【請求項８】
妊婦の腹部に装着可能な腹帯の所定の位置に配置された複数の電極により、電位データを取得する電位検出ステップと、
前記電位データを無線により送信する送信ステップと、
前記送信ステップで送信された電位データを受信する受信ステップと、
前記受信ステップで受信した電位データから、前記妊婦と胎児それぞれの心電データを分離して抽出する妊婦・胎児心電分離ステップと、
を備えることを特徴とする妊婦・胎児心電計測方法。
【請求項９】
前記妊婦と胎児それぞれの心電データから、前記妊婦および胎児の状態の分析を行う分析ステップを備えることを特徴とする請求項８に記載の妊婦・胎児心電計測方法。
【請求項１０】
コンピュータに、
妊婦の腹部に装着可能な腹帯の所定の位置に配置された複数の電極により、電位データを取得する電位検出ステップと、
前記電位データを無線により送信する送信ステップと、
前記送信ステップで送信された電位データを受信する受信ステップと、
前記受信ステップで受信した電位データから、前記妊婦と胎児それぞれの心電データを分離して抽出する妊婦・胎児心電分離ステップと、
を実行させることを特徴とするプログラム。
【国際調査報告】
2014002823.tif 000018
2014002823.tif 000019
2014002823.tif 000020
2014002823.tif 000021